(57)【特許請求の範囲】
【請求項１】
化石燃料を燃焼装置で燃焼させる際に当該燃焼装置から排出される排ガス中に含まれる水銀を除去する排ガス処理方法であって、
前記化石燃料を前記燃焼装置に供給して燃焼させ、
前記燃焼装置からの煙道に配置した湿式脱硫部において、前記燃焼装置から排出された排ガスに吸収液をスプレーにより吹き付けて脱硫を行い、
この湿式脱硫部からの使用済吸収液を排水処理して得た吸収排水のｐＨを低く調整した後、
このｐＨを低く調整した前記吸収排水を前記湿式脱硫部直前の煙道、前記湿式脱硫部内の前記スプレー及び前記湿式脱硫部直後の煙道のいずれか一ヶ所に供給して、金属水銀を水溶性の酸化水銀に変換する酸化剤として使用する
ことを特徴とする排ガス処理方法。
【請求項２】
化石燃料を燃焼装置で燃焼させる際に当該燃焼装置から排出される排ガス中に含まれる水銀を除去する排ガス処理方法であって、
前記化石燃料を前記燃焼装置に供給して燃焼させ、
前記燃焼装置からの煙道に配置した湿式脱硫部において、前記燃焼装置から排出された排ガスに吸収液をスプレーにより吹き付けて脱硫を行い、
この湿式脱硫部からの使用済吸収液を排水処理して得た吸収排水のｐＨを低く調整した後、
このｐＨを低く調整した前記吸収排水を前記湿式脱硫部直前の煙道、前記湿式脱硫部内の前記スプレー及び前記湿式脱硫部直後の煙道のいずれか二ヶ所に供給して、金属水銀を水溶性の酸化水銀に変換する酸化剤として使用する
ことを特徴とする排ガス処理方法。
【請求項３】
化石燃料を燃焼装置で燃焼させる際に当該燃焼装置から排出される排ガス中に含まれる水銀を除去する排ガス処理方法であって、
前記化石燃料を前記燃焼装置に供給して燃焼させ、
前記燃焼装置からの煙道に配置した湿式脱硫部において、前記燃焼装置から排出された排ガスに吸収液をスプレーにより吹き付けて脱硫を行い、
この湿式脱硫部からの使用済吸収液を排水処理して得た吸収排水のｐＨを低く調整した後、
このｐＨを低く調整した前記吸収排水を前記湿式脱硫部直前の煙道、前記湿式脱硫部内の前記スプレー及び前記湿式脱硫部直後の煙道のいずれにも供給して、金属水銀を水溶性の酸化水銀に変換する酸化剤として使用する
ことを特徴とする排ガス処理方法。
【請求項４】
前記吸収排水のｐＨの調整は、前記吸収排水に酸を混入させることで行う請求項１〜３のいずれか一つの項に記載の排ガス処理方法。
【請求項５】
前記吸収排水のｐＨの調整は、前記吸収排水に前記煙道中の排ガスの一部を溶け込ませることで行う請求項１〜３のいずれか一つの項に記載の排ガス処理方法。
【請求項６】
化石燃料を燃焼装置で燃焼させる際に当該燃焼装置から排出される排ガス中に含まれる水銀を除去する排ガス処理装置であって、
前記燃焼装置からの煙道に配置されて前記燃焼装置から排出された排ガスに吸収液を吹き付けて脱硫を行うスプレーを有する湿式脱硫部と、
この湿式脱硫部から排出される使用済吸収液の排水処理を行う排水処理部と、
この排水処理部で得た吸収排水のｐＨを低く調整するｐＨ調整部と、
前記湿式脱硫部直前の煙道、前記湿式脱硫部内の前記スプレー及び前記湿式脱硫部直後の煙道のいずれか一ヶ所に対して、前記ｐＨ調整部でｐＨを低く調整した前記吸収排水を酸化剤として供給して、金属水銀を水溶性の酸化水銀に変換する配管を備えた
ことを特徴とする排ガス処理装置。
【請求項７】
化石燃料を燃焼装置で燃焼させる際に当該燃焼装置から排出される排ガス中に含まれる水銀を除去する排ガス処理装置であって、
前記燃焼装置からの煙道に配置されて前記燃焼装置から排出された排ガスに吸収液を吹き付けて脱硫を行うスプレーを有する湿式脱硫部と、
この湿式脱硫部から排出される使用済吸収液の排水処理を行う排水処理部と、
この排水処理部で得た吸収排水のｐＨを低く調整するｐＨ調整部と、
前記湿式脱硫部直前の煙道、前記湿式脱硫部内の前記スプレー及び前記湿式脱硫部直後の煙道のいずれか二ヶ所に対して、前記ｐＨ調整部でｐＨを低く調整した前記吸収排水を酸化剤として供給して、金属水銀を水溶性の酸化水銀に変換する配管を備えた
ことを特徴とする排ガス処理装置。
【請求項８】
化石燃料を燃焼装置で燃焼させる際に当該燃焼装置から排出される排ガス中に含まれる水銀を除去する排ガス処理装置であって、
前記燃焼装置からの煙道に配置されて前記燃焼装置から排出された排ガスに吸収液を吹き付けて脱硫を行うスプレーを有する湿式脱硫部と、
この湿式脱硫部から排出される使用済吸収液の排水処理を行う排水処理部と、
この排水処理部で得た吸収排水のｐＨを低く調整するｐＨ調整部と、
前記湿式脱硫部直前の煙道、前記湿式脱硫部内の前記スプレー及び前記湿式脱硫部直後の煙道の三ヶ所全てに対して、前記ｐＨ調整部でｐＨを低く調整した前記吸収排水を酸化剤として供給して、金属水銀を水溶性の酸化水銀に変換する配管を備えた
ことを特徴とする排ガス処理装置。
【請求項９】
前記ｐＨ調整部に酸を供給する酸供給管を備えた請求項６〜８のいずれか一つの項に記載の排ガス処理装置。
【請求項１０】
前記ｐＨ調整部に前記煙道中から排ガスの一部を導入する排ガス供給管を備えた請求項６〜８のいずれか一つの項に記載の排ガス処理装置。
【発明の詳細な説明】
【技術分野】
【０００１】
本発明は、例えば、石炭などの化石燃料をボイラなどの燃焼装置によって燃焼させる際に、この燃焼装置から排出される排ガス中に含まれる水銀を除去するのに用いられる排ガス処理方法及び排ガス処理装置に関するものである。
【背景技術】
【０００２】
上記した化石燃料の燃焼装置、例えば、石炭焚きボイラから排出される石炭の燃焼排ガスには、石炭に起因する水銀が含まれている。この水銀は、難溶性の金属水銀Ｈｇ０と、水溶性の２価水銀Ｈｇ２＋（ＨｇＣｌ２）と、燃焼灰に付着した粒子状水銀ＨｇＰとの三つの形態に分かれて排ガス中に存在する。
この水銀を排ガスから除去する排ガス処理装置としては、例えば、石炭焚きボイラから煙突に至るまでの煙道に、脱硝部、脱塵部及び湿式の脱硫部を順次配置して成るものがある。
【０００３】
排ガス中に含まれる水銀のうちの粒子状水銀ＨｇＰは、その大半がこの排ガス処理装置の電気集じん器やバグフィルタなどの脱塵部で除去され、２価水銀Ｈｇ２＋は、湿式の脱硫部で高効率に除去されるが、排ガス中に含まれる金属水銀Ｈｇ０は、脱塵部や脱硫部でほとんど除去されずに大部分が大気に放出されているのが現状である。
大気中に放出された金属水銀Ｈｇ０は、環境中でより有害な有機水銀（メチル水銀）に変換されるので、この有機水銀が魚貝類などの食用生物に蓄積されて、これが食物連鎖を経て人体内へ入り込むことが懸念されている。
【０００４】
この現状を踏まえて、米国環境保護局では、石炭焚き火力発電所からの水銀排出量を規制することを決定していて、水銀排出量を２０１０年までに現行の３０％削減し、さらに、２０１８年までに現行の７０％削減することを義務付けており、これと同様に、カナダでも石炭焚き火力発電所からの水銀排出量の規制を決定している。
排ガス中に含まれる金属水銀Ｈｇ０は、水銀と同じく石炭に含まれる塩素に起因する塩化水素（ＨＣｌ）によって、反応式（１）に示すように、脱硝触媒や石炭灰や未燃焼分炭素の表面上で酸化される。
【０００５】
Ｈｇ０＋２ＨＣｌ＋１／２Ｏ２    →  ＨｇＣｌ２＋Ｈ２Ｏ          反応式（１）
但し、２価水銀Ｈｇ２＋はＨｇＣｌ２である。                    
脱硝触媒上での水銀酸化効率は、ＨＣｌ濃度が高い程高くなる。つまり、塩化水素濃度が高い程ＨｇＣｌ２の生成割合が増加することとなり、その結果、脱塵部や脱硫部で捕集される水銀の割合も増加する。
【０００６】
従来において、燃焼装置から排出される排ガス中の水銀を除去する技術として、煤塵を除去する電気集じん器やバグフィルタなどの脱塵部の上流に、活性炭などの水銀吸着剤を吹き込み、この吸着剤表面に水銀を吸着させて除去する方法が提案されている（例えば、特許文献１参照）。
しかし、この吸着剤を用いた除去技術では、吸着剤を常時吹き込む必要があるため、ランニングコストが高くつくうえ、排ガス中のＨＣｌ濃度などのガス性状により効率が変化するといった欠点がある。
【０００７】
この排ガス中のＨＣｌ濃度に関して言えば、元来、石炭中に含まれる塩素の量が、数ppmから数１００ppmと少ないのに加えて、石炭の種類によって含有量に大きなバラツキがあり、これを燃焼排ガス中のＨＣｌ濃度に換算すると、１ppm未満から数１０ppmとなってしまい、このように排ガス中のＨＣｌ濃度が低い場合には、排ガスの性状にもよるが、脱硝触媒や未燃分炭素上での水銀酸化効率が低下し、これに伴って脱塵部及び脱硫部での水銀捕集効率も低下する。
【０００８】
これに対応するべく、石炭焚きボイラからの煙道中にハロゲンを含む物質を注入する方法（例えば、特許文献２参照）や、塩素化合物を石炭とともに燃焼装置に供給して燃焼させた後、電気集じん器などの脱塵部の前で排ガス温度を１５０℃以下に冷却して、脱塵部において水銀の除去を行う方法（例えば、特許文献３参照）が提案されている。
しかしながら、上記した煙道中にハロゲンを含む物質を注入して水銀を除去する方法や、塩素化合物を石炭とともに燃焼装置に供給して燃焼させて脱塵部において水銀の除去を行う方法では、脱硝触媒や未燃分炭素上での水銀酸化効率を上げるために、塩素化合物のような薬剤類を新たに添加して排ガス中の塩化水素濃度を高くする必要があり、石炭を燃焼させる場合には、膨大な量を燃焼させるので、それに見合うだけの大量の塩素が必要になって、その分だけコストの上昇を招いてしまう。
【０００９】
また、湿式の脱硫部における吸収液にＮａＣｌＯやヨウ素などの酸化剤を混入して、この酸化剤入り吸収液とガス中の金属水銀とを接触させることによって、金属水銀を水溶性の酸化水銀に変換し、吸収液に水銀を溶解させて除去する酸化剤を用いた水銀吸収除去方法も提案されているが、これも吸収液にＮａＣｌＯやヨウ素などの酸化剤が必要になって、その分だけコストの上昇を招いてしまう（例えば、特許文献４，５参照）。
【特許文献１】米国特許第6521021号
【特許文献２】特開平10-230137号公報
【特許文献３】特開2000-325747号公報
【特許文献４】特開2000-325746号公報
【特許文献５】特開2001-038147号公報
【発明の開示】
【発明が解決しようとする課題】
【００１０】
ところが、上記した酸化剤を用いた水銀吸収除去方法では、酸化剤を吸収液に常時吹き込む都合上、ランニングコストの上昇を招くと共に、排ガス中におけるＳＯ２の濃度が増加するのに伴って、水銀除去に必要な酸化剤の量が増加してしまうという問題があり、この問題を解決することが従来の課題となっている。
本発明は、上記した課題を解決するためになされたもので、化石燃料、例えば、石炭をボイラなどの燃焼装置によって燃焼させる際に、水銀除去コストの低減を実現したうえで、水銀を高い効率で除去することが可能である排ガス処理方法及び排ガス処理装置を提供することを目的としている。
【課題を解決するための手段】
【００１１】
本発明の請求項１に係る発明は、化石燃料を燃焼装置で燃焼させる際に当該燃焼装置から排出される排ガス中に含まれる水銀を除去する排ガス処理方法であって、前記化石燃料を前記燃焼装置に供給して燃焼させ、前記燃焼装置からの煙道に配置した湿式脱硫部において、前記燃焼装置から排出された排ガスに吸収液をスプレーにより吹き付けて脱硫を行い、この湿式脱硫部からの使用済吸収液を排水処理して得た吸収排水のｐＨを５から１程度に低くする調整を行った後、このｐＨを低く調整した前記吸収排水を前記湿式脱硫部直前の煙道、前記湿式脱硫部内の前記スプレー及び前記湿式脱硫部直後の煙道のいずれか一ヶ所に供給して、金属水銀を水溶性の酸化水銀に変換する酸化剤として使用する構成としたことを特徴としており、この排ガス処理方法の構成を前述した従来の課題を解決するための手段としている。
【００１２】
本発明の請求項２に係る発明は、化石燃料を燃焼装置で燃焼させる際に当該燃焼装置から排出される排ガス中に含まれる水銀を除去する排ガス処理方法であって、前記化石燃料を前記燃焼装置に供給して燃焼させ、前記燃焼装置からの煙道に配置した湿式脱硫部において、前記燃焼装置から排出された排ガスに吸収液をスプレーにより吹き付けて脱硫を行い、この湿式脱硫部からの使用済吸収液を排水処理して得た吸収排水のｐＨを５から１程度に低くする調整を行った後、このｐＨを低く調整した前記吸収排水を前記湿式脱硫部直前の煙道、前記湿式脱硫部内の前記スプレー及び前記湿式脱硫部直後の煙道のいずれか二ヶ所に供給して、金属水銀を水溶性の酸化水銀に変換する酸化剤として使用する構成としたことを特徴としており、この排ガス処理方法の構成を前述した従来の課題を解決するための手段としている。
【００１３】
本発明の請求項３に係る発明は、化石燃料を燃焼装置で燃焼させる際に当該燃焼装置から排出される排ガス中に含まれる水銀を除去する排ガス処理方法であって、前記化石燃料を前記燃焼装置に供給して燃焼させ、前記燃焼装置からの煙道に配置した湿式脱硫部において、前記燃焼装置から排出された排ガスに吸収液をスプレーにより吹き付けて脱硫を行い、この湿式脱硫部からの使用済吸収液を排水処理して得た吸収排水のｐＨを５から１程度に低くする調整を行った後、このｐＨを低く調整した前記吸収排水を前記湿式脱硫部直前の煙道、前記湿式脱硫部内の前記スプレー及び前記湿式脱硫部直後の煙道のいずれにも供給して、金属水銀を水溶性の酸化水銀に変換する酸化剤として使用する構成としたことを特徴としており、この排ガス処理方法の構成を前述した従来の課題を解決するための手段としている。
【００１４】
本発明の請求項４に係る排ガス処理方法において、前記吸収排水のｐＨの調整は、前記吸収排水に酸を混入させることで行う構成としている。
本発明の請求項５に係る排ガス処理方法において、前記吸収排水のｐＨの調整は、前記吸収排水に前記煙道中の排ガスの一部を溶け込ませることで行う構成としている。
一方、本発明の請求項６に係る発明は、化石燃料を燃焼装置で燃焼させる際に当該燃焼装置から排出される排ガス中に含まれる水銀を除去する排ガス処理装置であって、前記燃焼装置からの煙道に配置されて前記燃焼装置から排出された排ガスに吸収液を吹き付けて脱硫を行うスプレーを有する湿式脱硫部と、この湿式脱硫部から排出される使用済吸収液の排水処理を行う排水処理部と、この排水処理部で得た吸収排水のｐＨを低く調整するｐＨ調整部と、前記湿式脱硫部直前の煙道、前記湿式脱硫部内の前記スプレー及び前記湿式脱硫部直後の煙道のいずれか一ヶ所に対して、前記ｐＨ調整部でｐＨを低く調整した前記吸収排水を酸化剤として供給して、金属水銀を水溶性の酸化水銀に変換する配管を備えた構成としている。
【００１５】
本発明の請求項７に係る発明は、化石燃料を燃焼装置で燃焼させる際に当該燃焼装置から排出される排ガス中に含まれる水銀を除去する排ガス処理装置であって、前記燃焼装置からの煙道に配置されて前記燃焼装置から排出された排ガスに吸収液を吹き付けて脱硫を行うスプレーを有する湿式脱硫部と、この湿式脱硫部から排出される使用済吸収液の排水処理を行う排水処理部と、この排水処理部で得た吸収排水のｐＨを低く調整するｐＨ調整部と、前記湿式脱硫部直前の煙道、前記湿式脱硫部内の前記スプレー及び前記湿式脱硫部直後の煙道のいずれか二ヶ所に対して、前記ｐＨ調整部でｐＨを低く調整した前記吸収排水を酸化剤として供給して、金属水銀を水溶性の酸化水銀に変換する配管を備えた構成としている。
【００１６】
本発明の請求項８に係る発明は、化石燃料を燃焼装置で燃焼させる際に当該燃焼装置から排出される排ガス中に含まれる水銀を除去する排ガス処理装置であって、前記燃焼装置からの煙道に配置されて前記燃焼装置から排出された排ガスに吸収液を吹き付けて脱硫を行うスプレーを有する湿式脱硫部と、この湿式脱硫部から排出される使用済吸収液の排水処理を行う排水処理部と、この排水処理部で得た吸収排水のｐＨを低く調整するｐＨ調整部と、前記湿式脱硫部直前の煙道、前記湿式脱硫部内の前記スプレー及び前記湿式脱硫部直後の煙道の三ヶ所全てに対して、前記ｐＨ調整部でｐＨを低く調整した前記吸収排水を酸化剤として供給して、金属水銀を水溶性の酸化水銀に変換する配管を備えた構成としている。
【００１７】
本発明の請求項９に係る排ガス処理装置は、前記ｐＨ調整部に酸を供給する酸供給管を備えた構成としている。
本発明の請求項１０に係る排ガス処理装置において、前記ｐＨ調整部に前記煙道中から排ガスの一部を導入する排ガス供給管を備えた構成としている。
本発明に係る排ガス処理方法及び排ガス処理装置において、ｐＨを低く調整した吸収排水を水銀酸化剤として使用するようにしているが、化学式（１）に示すように、ｐＨを低く調整した吸収排水中の金属種が関与して、水銀が酸化されるものと考えられる。
【００１８】
Ｈｇ０＋Ｍｅ（Ｘ）→Ｈｇ２＋＋Ｍｅ（Ｘ−２）                    化学式（１）
但し、Ｍｅは金属種、Ｘは金属の価数を示している。
このように、本発明に係る排ガス処理方法及び排ガス処理装置では、ｐＨを低く調整した吸収排水を水銀酸化剤として使用することで、湿式脱硫部での水銀の吸収除去を行うようにしているので、湿式脱硫部で水銀の除去を行うために従来必要であった酸化剤が不要なものとなるで、水銀除去にかかるランニングコストを低減し得ることとなる。
【００１９】
この際、吸収排水とは、湿式脱硫部の吸収液を装置施設外へ排出できる状態にまで処理した後に得られる排水を意味しており、処理後の水であることから、吸収液に溶解した水銀等がプラント内を循環することはない。
【発明の効果】
【００２０】
本発明の請求項１〜３に係る排ガス処理方法及び請求項６〜８に係る排ガス処理装置では、上記した構成としているので、水銀除去に酸化剤が不要なものとなり、その結果、ランニングコストの低減を実現したうえで、水銀を高い効率で除去することが可能である。
また、本発明の請求項４に係る排ガス処理方法及び請求項９に係る排ガス処理装置では、ｐＨの調整を簡単に行うことができ、さらに、本発明の請求項５に係る排ガス処理方法及び請求項１０に係る排ガス処理装置では、ランニングコストのより一層の低減を実現することが可能である。
【発明を実施するための最良の形態】
【００２１】
以下、本発明の実施形態を図面に基づいて説明する。
図１は、本発明の一実施形態による排ガス処理装置を示しており、この実施形態では、本発明の排ガス処理方法及び排ガス処理装置を石炭焚きボイラ（燃焼装置）から排出される排ガスの処理に適用した場合を例に挙げて説明する。
図１に示すように、この排ガス処理装置１は、石炭焚きボイラＢから煙突２に至るまでの煙道Ｒに順次配置した脱硝部３、エアヒータ４、脱塵部５、熱交換器６、湿式脱硫部７及び熱交換器（図示省略）を備えており、石炭焚きボイラＢには、貯蔵部である貯炭場２０の石炭がミル２１で粉砕されて供給されるようになっている。
【００２２】
湿式脱硫部７は、脱塵部５側から流れる排ガスにスプレー７ａを介して吸収液を吹き付けて、排ガス中の塩素やＳＯＸを除去するようになっており、使用済みの吸収液は、ポンプ７ｂによって循環して利用された後、排水処理部９に送給されるようになっている。
この場合、排水処理部９には、この排水処理部９で得た吸収排水のｐＨを低く調整するｐＨ調整部１０が接続してあると共に、このｐＨ調整部１０には、ｐＨを低く調整した吸収排水がポンプ１１ａを介して湿式脱硫部７直前の煙道端部Ｒｅに供給されるように成す配管１１が接続してある。
【００２３】
このｐＨ調整部１０には、吸収排水のｐＨを低く調整するための塩化水素や硝酸等の酸を供給する酸供給管１２が接続してあると共に、これと同じく吸収排水のｐＨを低く調整するために煙道中から排ガスの一部を導入する排ガス供給管１３が接続してあり、これらの酸供給管１２及び排ガス供給管１３は、適宜選択されて少なくともいずれか一方が用いられるようになっている。
【００２４】
この排ガス処理装置１では、貯炭場２０の石炭をミル２１によって粉砕し、これを石炭焚きボイラＢに供給して燃焼を開始させる。
そして、石炭焚きボイラＢから排出される排ガスの処理を行う場合には、まず、煙道Ｒにおける脱硝部３の上流側にアンモニアを添加して、排ガスに含まれるＮＯＸを還元して窒素と水に変換する。
【００２５】
上記石炭焚きボイラＢから排出される排ガス中に含まれる水銀のうち、金属水銀Ｈｇ０は、脱硝部３内及び煙道Ｒ中に存在する未燃炭素分や灰分の表面などで、塩化水素と反応して水溶性の２価水銀Ｈｇ２＋（ＨｇＣｌ２）に変換される。
次いで、脱塵部５では、２価水銀Ｈｇ２＋を煤塵とともに捕集し、湿式脱硫部７では、上記脱塵部５を通過した２価水銀Ｈｇ２＋（ＨｇＣｌ２）を液相で吸収する。
【００２６】
この湿式脱硫部７では、脱塵部５側から流れる排ガスにスプレー７ａを介して吸収液を吹き付けて、排ガス中の塩素やＳＯＸを除去し、使用済みの吸収液は、ポンプ７ｂによって循環して利用された後、排水処理部９に送給する。
このとき、排水処理部９と接続するｐＨ調整部１０では、酸供給管１２及び排ガス供給管１３の少なくともいずれか一方を介して、塩化水素や硝酸等の酸又は煙道Ｒ中から排ガスの一部が供給されて、吸収排水のｐＨを低くする調整を行っており、このｐＨを低く調整した吸収排水をｐＨ調整部１０から湿式脱硫部７直前の煙道端部Ｒｅに対して配管１１を介して供給することで、金属水銀Ｈｇ０を水溶性の２価水銀Ｈｇ２＋（ＨｇＣｌ２）に変換する酸化剤として使用するようになっている。
【００２７】
上記したように、この実施形態の排ガス処理方法及び排ガス処理装置１では、湿式脱硫部７における水銀の除去には、酸化剤を用いていないので、その分だけランニングコストを少なく抑え得ることとなる。
図２は、本発明の他の実施形態による排ガス処理装置を示しており、図２に部分的に示すように、この実施形態の排ガス処理装置が先の実施形態の排ガス処理装置１と相違するところは、ｐＨを低く調整した吸収排水をｐＨ調整部１０から湿式脱硫部７内のスプレー７ａに対して配管１５を介して供給するようにした点にあり、他の構成は先の実施形態の排ガス処理装置１と同じである。
【００２８】
上記したように、この実施形態の排ガス処理方法及び排ガス処理装置１においても、湿式脱硫部７における水銀の除去には、酸化剤を用いていないので、その分だけランニングコストを少なく抑え得ることとなる。
図３は、本発明のさらに他の実施形態による排ガス処理装置を示しており、図３に部分的に示すように、この実施形態の排ガス処理装置が先の実施形態の排ガス処理装置１と相違するところは、ｐＨを低く調整した吸収排水をｐＨ調整部１０から湿式脱硫部７直後の煙道端部Ｒｆに対して配管１７を介して供給するようにした点にあり、他の構成は先の実施形態の排ガス処理装置１と同じである。
【００２９】
上記したように、この実施形態の排ガス処理方法及び排ガス処理装置１においても、湿式脱硫部７における水銀の除去には、酸化剤を用いていないので、その分だけランニングコストを少なく抑え得ることとなる。
そこで、吸収排水のｐＨと水銀除去率との関係を調べるため、以下の条件で試験を行ったところ、図４に示す結果を得た。
［試験条件］    
ガス組成；Ｏ２：５ｖｏｌ％，ＣＯ２：１５ｖｏｌ％，Ｎ２バランス
Ｈｇ０入口供給量；２２．９〜２６．６μｇ／Ｎｍ３
吸収排水；実機脱硫排水２種類（Ａ，Ｂ）
図４の結果から、吸収排水のｐＨを５から１程度に低くすると、水銀除去率が大幅に向上することが実証できた。
【００３０】
上記した実施形態では、ｐＨを低く調整した吸収排水を湿式脱硫部７直前の煙道端部Ｒｅに供給したり、湿式脱硫部７自体に供給したり、湿式脱硫部７直後の煙道端部Ｒｆに供給したりするようにしているが、これらに限定されるものではなく、ｐＨを低く調整した吸収排水を湿式脱硫部７直前の煙道端部Ｒｅ及び湿式脱硫部７自体の双方や、湿式脱硫部７直前の煙道端部Ｒｅ及び湿式脱硫部７直後の煙道端部Ｒｆの双方や、湿式脱硫部７自体及び湿式脱硫部７直後の煙道端部Ｒｆの双方に供給するようにしてもよい。
【００３１】
また、ｐＨを低く調整した吸収排水を湿式脱硫部７直前の煙道端部Ｒｅと湿式脱硫部７自体と湿式脱硫部７直後の煙道端部Ｒｆとのいずれにも供給するようにしてもよい。
【図面の簡単な説明】
【００３２】
【図１】本発明の一実施形態による排ガス処理装置を示す概略構成説明図である。
【図２】本発明の他の実施形態による排ガス処理装置を部分的に示す概略構成説明図である。
【図３】本発明のさらに他の実施形態による排ガス処理装置を部分的に示す概略構成説明図である。
【図４】本発明の排ガス処理方法及び排ガス処理装置による吸収排水のｐＨと水銀除去率との関係を示すグラフである。
【符号の説明】
【００３３】
１  排ガス処理装置
７  湿式脱硫部
７ａ  スプレー
９  排水処理部
１０  ｐＨ調整部
１１，１５，１７  配管
１２  酸供給管
１３  排ガス供給管
Ｂ  石炭焚きボイラ（燃焼装置）
Ｒ  煙道
【図１】
0004936002.tif 000002
【図２】
0004936002.tif 000003
【図３】
0004936002.tif 000004
【図４】
0004936002.tif 000005